(57)【要約】【課題】  蓋部の開封を容易に行うことのできる包装用箱を提供する。【解決手段】  相互に対向して開口部を構成する第１面及び第２面と、第１面に第１折目線を介して連設される第１蓋部と、第２面に第２折目線を介して連設され、第１蓋部に対向して設けられる第２蓋部と、を備え、第１蓋部に第２蓋部を重ねるように折り曲げることで開口部を閉塞する包装用箱であって、第２蓋部の端部に第３折目線を介して連設され、第３折目線で折り曲げられる差込片と、第１折目線上又は第１蓋部上に設けられ、差込片が差し込まれて、第１蓋部と第２蓋部とで開口部が閉塞された状態が保持される差込部と、を備え、第３折目線は、第２蓋部側が凸となるように湾曲している包装用箱とする。【選択図】図３
0003154981.tif 000002
【実用新案登録請求の範囲】
【請求項１】
相互に対向して開口部を構成する第１面及び第２面と、前記第１面に第１折目線を介して連設される第１蓋部と、前記第２面に第２折目線を介して連設され、前記第１蓋部に対向して設けられる第２蓋部と、を備え、前記第１蓋部に前記第２蓋部を重ねるように折り曲げることで前記開口部を閉塞する包装用箱であって、
前記第２蓋部の端部に第３折目線を介して連設され、前記第３折目線で折り曲げられる差込片と、
前記第１折目線上又は前記第１蓋部上に設けられ、前記差込片が差し込まれて、前記第１蓋部と前記第２蓋部とで前記開口部が閉塞された状態が保持される差込部と、を備え、
前記第３折目線は、前記第２蓋部側が凸となるように湾曲している、ことを特徴とする包装用箱。
【請求項２】
前記差込片は、前記第３折目線に交差する方向に罫線が形成されている、ことを特徴とする請求項１に記載の包装用箱。
【請求項３】
前記差込片は、前記第３折目線の略中央部を通り、前記第３折目線に略直交する罫線が形成されている、ことを特徴とする請求項１に記載の包装用箱。
【請求項４】
前記差込部は、前記差込片が差し込まれるスリットと、前記スリットに連通し、前記スリットに対して前記第１折目線の反対側に形成される凹部と、を備えることを特徴とする請求項１から３のいずれか１項に記載の包装用箱。
【請求項５】
前記差込部は、前記スリットが前記第１折目線上に形成され、
前記第１面は、前記スリットに連通し、前記凹部に対応する位置に切欠部を備える、ことを特徴とする請求項４に記載の包装用箱。
【請求項６】
前記第１面は天面であり、前記第２面は底面である、ことを特徴とする請求項１から５のいずれか１項に記載の包装用箱。
【考案の詳細な説明】
【技術分野】
【０００１】
本考案は、包装用箱に関し、より詳細には、蓋部の開封を容易に行うことのできる包装用箱に関する。
【背景技術】
【０００２】
従来、ケーキ等を持ち帰る際に包装用箱が使用されている。包装用箱の蓋部を開封するための構成としては、紙箱の蓋部に、押し込むと没入して指が入る押込部を設けた構成（例えば、特許文献１参照。）や、蓋部の差込部の中央部に差込部の深さ方向全長に亘ってほぼハの字状の罫線を形成するとともに、このほぼハの字状の罫線に囲まれて上端がほぼハの字状の罫線に上端部に繋がるＶ字状の罫線を形成した構成（例えば、特許文献２参照。）が知られている。
【０００３】
また、箱本体の側部より下面フラップに亘る鉤状の差込片を切り起こすとともに、蓋部に形成した挿入片の基部の折り曲げ部に差込片を挿入するための挿入スリットを形成し、挿入片に形成した挿入スリットのほぼ中央部に互いに対応する凹欠部を形成した構成（例えば、特許文献３参照。）も知られている。
【先行技術文献】
【特許文献】
【０００４】
【特許文献１】特開２００２−１９７６６号公報
【特許文献２】特開２００３−２９１９４３号公報
【特許文献３】特開昭６１−６９５４３号公報
【考案の概要】
【考案が解決しようとする課題】
【０００５】
しかしながら、特許文献１に記載の構成では、蓋部の開封に際して、押込部を押し込んで没入させなければならないという不便がある。また、特許文献２の構成は、蓋部の開封に際して差込部に不規則な皺が発生するのを防止する構成であり、特許文献３の構成は、挿入スリット部の破損を防止する構成であり、いずれも蓋部の開封を容易にするための構成ではない。
【０００６】
本考案は前記課題に鑑みてなされたものであって、蓋部の開封を容易に行うことのできる包装用箱を提供することを目的とする。
【課題を解決するための手段】
【０００７】
本考案の解決しようとする課題は以上の如くであり、次にこの課題を解決するための手段を説明する。
【０００８】
即ち、第１の考案では、相互に対向して開口部を構成する第１面及び第２面と、前記第１面に第１折目線を介して連設される第１蓋部と、前記第２面に第２折目線を介して連設され、前記第１蓋部に対向して設けられる第２蓋部と、を備え、前記第１蓋部に前記第２蓋部を重ねるように折り曲げることで前記開口部を閉塞する包装用箱であって、
前記第２蓋部の端部に第３折目線を介して連設され、前記第３折目線で折り曲げられる差込片と、
前記第１折目線上又は前記第１蓋部上に設けられ、前記差込片が差し込まれて、前記第１蓋部と前記第２蓋部とで前記開口部が閉塞された状態が保持される差込部と、を備え、
前記第３折目線は、前記第２蓋部側が凸となるように湾曲している、ことを特徴とする包装用箱とする。
【０００９】
第２の考案では、第１の考案において、
前記差込片は、前記第３折目線に交差する方向に罫線が形成される包装用箱とする。
【００１０】
第３の考案では、第１の考案において、
前記差込片は、前記第３折目線の略中央部を通り、前記第３折目線に略直交する罫線が形成される包装用箱とする。
【００１１】
第４の考案では、第１から第３の考案において、
前記差込部は、前記差込片が差し込まれるスリットと、前記スリットに連通し、前記スリットに対して前記第１折目線の反対側に形成される凹部とを備える包装用箱とする。
【００１２】
第５の考案では、第４の考案において、
前記差込部は、前記スリットが前記第１折目線上に形成され、
前記第１面は、前記スリットに連通し、前記凹部に対応する位置に切欠部を備える包装用箱とする。
【００１３】
第６の考案では、第１から第５の考案において、
前記第１面は天面であり、前記第２面は底面である包装用箱とする。
【考案の効果】
【００１４】
本考案の効果として、以下に示すような効果を奏する。
【００１５】
第１の考案によれば、第２蓋部と差込片の間の第３折目線は、第２蓋部側が凸となるように湾曲しているため、差込片を第３折目線で折り曲げると、差込片の基端部は第３折目線に沿って湾曲する。そして、第１蓋部と第２蓋部とで開口部を閉塞し、差込片を差込部に差し込んだ状態では、差込片の基端部は、包装用箱の外方に向かって突出し、かつ、第２面側に向かって湾曲した状態となる。このため、開封のために差込片に指を掛ける際に、差込片に指掛けする面積が広くなり、容易に指掛けを行うことができ、開封時に力が入れやすい。そして、第２面側に向かって押し込むことで、差込片は差込部から抜き出される向きの力を受け、差込部から抜脱されることとなる。このため、開封を容易に行うことができる。
【００１６】
第２の考案によれば、差込片は、第３折目線に交差する方向に罫線が形成されているため、差込片を第３折目線で折り曲げる際、あるいは、差込片を差込部に差し込んだ状態で、開封のために差込片に指を掛ける際に、差込片は罫線に沿って折り曲がり易くなる。このため、軽い力で差込片を湾曲させることができ、開封の際に差込片に指掛けし易くなり、開封を容易に行うことができる。
【００１７】
第３の考案によれば、差込片は、第３折目線の略中央部を通り、第３折目線に略直交する罫線が形成されているため、差込片を第３折目線で折り曲げる際、あるいは、差込片を差込部に差し込んだ状態で、開封のために差込片に指を掛ける際に、差込片は略中央で折り曲げられる。このため、開封の際に差込片に指掛けし易くなり、第２蓋部の開封を容易に行うことができる。
【００１８】
第４の考案によれば、差込部は、差込片が差し込まれるスリットと、スリットに連通し、スリットに対して第１折目線の反対側に形成される凹部と、を備えるため、差込片が差込部に差し込まれた状態において、差込片の湾曲する方向に凹部が形成されることとなり、差込片の湾曲が第１蓋部によって妨げられない。このため、開封の際に差込片を湾曲させやすくなり、開封を容易に行うことができる。
【００１９】
第５の考案によれば、差込部は、スリットが第１折目線上に形成され、第１面は、スリットに連通し、凹部に対応する位置に切欠部を備えるため、開封の際に、切欠部を通して差込片に指を掛けると、指を掛けた位置における差込片の湾曲する方向に凹部が形成されることとなり、差込片を湾曲させ易く、開封を容易に行うことができる。
【００２０】
第６の考案によれば、第１面は天面であり、第２面は底面であるため、第１蓋部と第２蓋部とで開口部を閉塞し、差込片を差込部に差し込んだ状態では、差込片の基端部は、包装用箱の外方に向かって突出し、かつ、底面に向かって湾曲した状態となる。このため、開封のために差込片に指を掛ける際に、差込片に指掛けする面積が広くなり、容易に指掛けを行うことができ、力が入れやすい。そして、底面側に向かって押し込むことで、差込片は差込部から抜き出される向きの力を受け、差込部から抜脱されることとなる。このため、開封を容易に行うことができる。
【図面の簡単な説明】
【００２１】
【図１】第１の実施の形態に係る包装用箱１１の箱展開形成体１２の平面図。
【図２】包装用箱１１の半完成状態の平面図。
【図３】包装用箱１１を組み立てる途中の状態を示す斜視簡略図。
【図４】係る包装用箱１１の完成体を示す斜視簡略図。
【図５】図４の５−５線における端面図。
【考案を実施するための形態】
【００２２】
次に、考案の実施の形態について図を用いて説明する。
【００２３】
本考案の第１の実施の形態に係る包装用箱１１について、図１から図５を用いて説明する。
【００２４】
図１は係る包装用箱１１の箱展開形成体１２の平面図であり、図２は、包装用箱１１の半完成状態の平面図である。包装用箱１１は、図１に示す箱展開形成体１２を組み立てて形成されるものであり、デコレーションケーキ等を収容し、持ち帰り等に用いる包装用箱１１である。包装用箱１１は、板紙、段ボールなどの厚紙で形成されている。厚紙の他、樹脂素材を用いた板状部材等で形成してもよい。
【００２５】
包装用箱１１は、図１に示すように、第２面としての底面２１の端部に順次連設される、第１側面３１、第１面としての天面４１、及び第２側面５１によって筒状に形成され、開口部が第１蓋部としての第１上蓋部４２と第２蓋部としての第１下蓋部２３、及び第１蓋部としての第２上蓋部４３と第２蓋部としての第２下蓋部２４によって閉塞される、いわゆるサック形式の包装用箱１１である。包装用箱１１は折り畳まれた半完成状態でケーキ店等に納品され（図２参照）、デコレーションケーキ等を収容する前に最終の組み立てが行われて完成状態の包装用箱１１とされる。
【００２６】
以下では、説明の容易のため、開口部が形成されている側を前後方向とする。そして、図１から図５の図示左側を前側とし、図示右側を後側とする。また、上下方向は、包装用箱１１を組み立てて、底面２１を下にして載置した状態で、底面２１側を下方とする。尚、本実施の形態に係る包装用箱１１はサック形式としたが、サック式以外の形式の包装用箱１１にも本考案は適用することができ、また、サック式であっても、本実施の形態に限定されない。
【００２７】
図１に示す箱展開形成体１２に従って包装用箱１１を構成する部分を説明する。図１は、包装用箱１１の内側となる面を紙面手前側として示している。まず底面２１は、包装用箱１１の底部を構成する部分である。底面２１の第１端部には包装用箱１１の側面を構成する第１側面３１が第１側面折目線６１を介して連設されている。底面２１の前側の端部には、前側の蓋部を構成する第２蓋部としての第１下蓋部２３が第２折目線としての第１下蓋部折目線６３を介して連設されている。
【００２８】
第１下蓋部２３の前側の端部には、第１差込片２５が第３折目線としての第１差込片折目線８１を介して連設されている。第３折目線としての第１差込片折目線８１は、第２蓋部としての第１下蓋部２３側が凸となるように湾曲している。また、第１差込片２５には、第１差込片折目線８１の略中央部を通り、第１差込片折目線８１に略直交する第１罫線８３が形成されている。
【００２９】
底面２１の後側の端部には、後側の蓋部を構成する第２蓋部としての第２下蓋部２４が第２折目線としての第２下蓋部折目線６４を介して連設されている。第２下蓋部２４の後側の端部には、第２差込片２６が第３折目線としての第２差込片折目線８２を介して連設されている。第３折目線としての第２差込片折目線８２は、第２蓋部としての第２下蓋部２４側が凸となるように湾曲している。また、第２差込片２６には、第２差込片折目線８２の略中央部を通り、第２差込片折目線８２に略直交する第２罫線８４が形成されている。
【００３０】
底面２１の第１端部に対向する第２端部には、取付面２２が取付面折目線６２を介して連設されている。取付面２２は、第２側面５１に固定されて、底面２１を第２側面５１に対して固定する部材である。
【００３１】
第１側面３１の端部のうち、底面２１と対向する端部には、包装用箱１１の天部を構成する第１面としての天面４１が天面折目線６５を介して連設されている。第１側面３１の前側の端部には、第１前フラップ３２が第１前フラップ折目線６６を介して連設されており、第１側面３１の後側の端部には、第１後フラップ３３が第１後フラップ折目線６７を介して連設されている。
【００３２】
天面４１の端部のうち、第１側面３１と対向する端部には、包装用箱１１の側面を構成する第２側面５１が、第２側面折目線７０を介して連設されている。天面４１の前側の端部には、前側の蓋部を構成する第１蓋部としての第１上蓋部４２が第１折目線としての第１上蓋部折目線７１を介して連設されている。
【００３３】
第１上蓋部折目線７１上及び第１上蓋部４２上には、第１差込片２５が差し込まれて、第１上蓋部４２と第１下蓋部２３とで包装用箱１１の開口部が閉塞された状態が保持される第１差込部９１が形成されている。第１差込部９１は、第１差込片２５が差し込まれる第１スリット９３と、第１スリット９３に連通し、第１スリット９３に対して第１上蓋部折目線７１の反対側に形成される第１凹部９５と、を備え、第１スリット９３は、第１上蓋部折目線７１上に形成され、第１凹部９５は、第１上蓋部４２上に形成される。また、天面４１の前側の端部には、第１スリット９３に連通し、第１凹部９５に対応する位置に形成される第１切欠部９７を備えている。
【００３４】
天面４１の後側の端部には、後側の蓋部を構成する第１蓋部としての第２上蓋部４３が第１折目線としての第２上蓋部折目線７２を介して連設されている。第２上蓋部折目線７２上及び第２上蓋部４３上には、第２差込片２６が差し込まれて、第２上蓋部４３と第２下蓋部２４とで包装用箱１１の開口部が閉塞された状態が保持される第２差込部９２が形成されている。第２差込部９２は、第２差込片２６が差し込まれる第２スリット９４と、第２スリット９４に連通し、第２スリット９４に対して第２上蓋部折目線７２の反対側に形成される第２凹部９６と、を備え、第２スリット９４は、第２上蓋部折目線７２上に形成され、第２凹部９６は、第２上蓋部４３上に形成される。また、天面４１の後側の端部には、第２スリット９４に連通し、第２凹部９６に対応する位置に形成される第２切欠部９８を備えている。
【００３５】
第２側面５１の前側の端部には、第２前フラップ５２が第２前フラップ折目線６８を介して連設されており、第２側面５１の後側の端部には、第２後フラップ５３が第２後フラップ折目線６９を介して連設されている。
【００３６】
天面４１の中央部には、円弧状の切れ込みが平行に形成された把持部４６が１対形成されている。把持部４６は天板に対して上方に起こすことによって取っ手を形成するものである（図４参照。）。また、天面４１の内側の略全部を覆うように、視認性を有する透明フィルム１３を装着している。透明フィルム１３は、把持部４６を上方に起こした後の切起孔４７を閉鎖して、塵埃等の侵入を防止するためのものである。
【００３７】
次に、包装用箱１１を半完成状態まで組み立てる場合について説明する。図１、図２に示すように、まず、第２側面折目線７０を谷折して、第２側面５１を天面４１に対して折り返し、第２前フラップ５２が第１上蓋部４２、第２後フラップ５３が第２上蓋部４３に重なるようにする。次に、第１側面折目線６１を谷折して、第１側面３１を底面２１に対して折り返し、第１前フラップ３２が第１下蓋部２３に、第１後フラップ３３が第２下蓋部２４に重なるようにする。そして、第２側面５１が取付面２２に重なるようにし、第２側面５１と取付面２２とを固定する。固定は、接着剤を用いた貼着手段や、熱溶着等の固定手段を用い、取付面２２の略全面と、第２側面５１とを固定する。これにより、図２に示すように、包装用箱１１は略半分に折り畳まれた半完成状態となる。
【００３８】
本実施の形態に係る包装用箱１１はサック形式であり、半完成状態までの組み立てでは、折目は全て谷折であり、固定する部分は、取付面２２と第２側面５１との間のみであるから、貼り作業を貼り機によって容易に自動化することができ、製造コストを安価とすることができる。また、半完成状態では、包装用箱１１は厚さが薄く、コンパクトであるため、運搬や保管が容易となる。
【００３９】
次に、折り畳まれた半完成状態の包装用箱１１を完成体まで組み立てる場合について説明する。図３は、包装用箱１１を組み立てる途中の状態を示す斜視簡略図であり、図４は、包装用箱１１の完成体を示す斜視簡略図であり、図５は、図４の５−５線における端面図である。図３に示すように、まだ谷折されていなかった天面折目線６５と取付面折目線６２とを谷折して、底面２１に対して、第１側面３１と第２側面５１とを起立させ、底面２１、第１側面３１、天面４１、及び第２側面５１によって筒状とする。筒状に形成された状態で、内部にデコレーションケーキ等を収容する。
【００４０】
前側の組み立ては、図３、図４に示すように、まず、第１前フラップ折目線６６を谷折して第１前フラップ３２を内側に曲げ、第２前フラップ折目線６８を谷折して第２前フラップ５２を内側に曲げる。そして、第１上蓋部折目線７１を谷折して第１上蓋部４２を下方に曲げる。
【００４１】
次に、第１下蓋部２３の端部の第１差込片２５を、第１差込片折目線８１で折り曲げ、第１差込片２５の基端部を、第１差込片折目線８１に沿って湾曲させる。このとき、第１差込片２５は、第１罫線８３に沿って折り曲がることとなる。そして、第１下蓋部折目線６３を谷折し、第１下蓋部２３を底面２１に対して起立させて、第１上蓋部４２と第１下蓋部２３とで開口部を閉塞するとともに、第１差込片２５を第１差込部９１の第１スリット９３に差し込む。第１差込片２５が第１差込部９１の第１スリット９３に差し込まれることで、第１上蓋部４２と第１下蓋部２３とで包装用箱１１の前側の開口部が閉塞された状態が保持される。また、このとき、第１差込片２５の基端部（第１差込片折目線８１の周縁部）は、包装用箱１１の外方に向かって突出し、かつ、第１下蓋部２３側に向かって湾曲した状態となっている（図４、図５参照。）。
【００４２】
後側の組み立ては、前側と同様に、第１後フラップ折目線６７を谷折して第１後フラップ３３を内側に曲げ、第２後フラップ折目線６９を谷折して第２後フラップ５３を内側に曲げる。そして、第２上蓋部折目線７２を谷折して第２上蓋部４３を下方に曲げる。
【００４３】
次に、第２下蓋部２４の端部の第２差込片２６を、第２差込片折目線８２で折り曲げ、第２差込片２６の基端部を、第２差込片折目線８２に沿って湾曲させる。このとき、第２差込片２６は、第２罫線８４に沿って折り曲がることとなる。そして、第２下蓋部折目線６４を谷折し、第２下蓋部２４を底面２１に対して起立させて、第２上蓋部４３と第２下蓋部２４とで開口部を閉塞するとともに、第２差込片２６を第２差込部９２の第２スリット９４に差し込む。第２差込片２６が第２差込部９２の第２スリット９４に差し込まれることで、第２上蓋部４３と第２下蓋部２４とで包装用箱１１の後側の開口部が閉塞された状態が保持される。また、このとき、第２差込片２６の基端部（第２差込片折目線８２の周縁部）は、包装用箱１１の外方に向かって突出し、かつ、第２下蓋部２４側に向かって湾曲した状態となっている（図５参照。）。
【００４４】
次に、上記のようにして組み立てられた包装用箱１１を開封する場合について説明する。尚、包装用箱１１の前側の開封と、包装用箱１１の後側の開封とは同様の操作により行われるため、包装用箱１１の前側の開封についてのみ説明する。図５に示すように、第１差込片２５の基端部（第１差込片折目線８１の周縁部）は、包装用箱１１の外方に向かって突出し、かつ、第１下蓋部２３側に向かって湾曲した状態となっており、また、第１差込片２５の第１罫線８３に沿って折り曲がっている。
【００４５】
開封の際には、天面４１の前側の端部に形成された第１切欠部９７を通して第１差込片２５に指Ｆを掛ける。このとき、第１差込片２５の基端部は、包装用箱１１の外方に向かって突出し、かつ、第１下蓋部２３側に向かって第１罫線８３に沿って湾曲した状態となっているため、第１差込片２５に指掛けする面積が広くなり、容易に指掛けを行うことができ、開封時に力が入れやすい。
【００４６】
そして、第１差込片２５に掛けた指Ｆで第１差込片２５を第１下蓋部２３側に向かって押し込みつつ、包装用箱１１の外方に向けて引くことで、第１差込片２５は第１差込部９１の第１スリット９３から抜き出される向きの力を受け、第１差込部９１から抜脱されることとなる。尚、第１差込部９１には、第１凹部９５が形成されているため、第１差込片２５の湾曲が第１上蓋部４２によって妨げられない。このため、開封の際に差込片を湾曲させやすくなり、開封を容易に行うことができる。そして、第１差込片２５を第１差込部９１の第１スリット９３から抜脱した後、第１上蓋部４２と第１下蓋部２３、及び、第１前フラップ３２と第２前フラップ５２を開放することにより、包装用箱１１の前側を容易に開封することができる。
【００４７】
尚、実施の形態は上記に限定されるものではなく、例えば次のように変更してもよい。
【００４８】
包装用箱１１の開口部を前側と後側に設け、包装用箱１１の前側と後側が開封されることとしたが、側部又は上部に開口部を設け、側部又は上部が開封されるようにしてもよい。
【００４９】
包装用箱１１の開口部を２箇所に設けたが、１箇所であってもよい。
【００５０】
以上説明した本考案の技術的範囲は、上記の実施の形態に限定されるものではなく、上記実施の形態の形状に限定されない。本考案の技術的範囲は、本明細書及び図面に記載した事項から明らかになる本考案が真に意図する技術的思想の範囲全体に、広く及ぶものである。
【符号の説明】
【００５１】
１１    包装用箱
１２    箱展開形成体
１３    透明フィルム
２１    底面
２２    取付面
２３    第１下蓋部
２４    第２下蓋部
２５    第１差込片
２６    第２差込片
３１    第１側面
３２    第１前フラップ
３３    第１後フラップ
４１    天面
４２    第１上蓋部
４３    第２上蓋部
４６    把持部
４７    切起孔
５１    第２側面
５２    第２前フラップ
５３    第２後フラップ
８１    第１差込片折目線
８２    第２差込片折目線
８３    第１罫線
８４    第２罫線
９１    第１差込部
９２    第２差込部
９３    第１スリット
９４    第２スリット
９５    第１凹部
９６    第２凹部
９７    第１切欠部
９８    第２切欠部
【図１】
0003154981.tif 000003
【図２】
0003154981.tif 000004
【図３】
0003154981.tif 000005
【図４】
0003154981.tif 000006
【図５】
0003154981.tif 000007